(57)【要約】【課題】強風等で損傷することが無いようにベランダのフェンス等に設置して常時蓄電装置を充電し、非常時に電力供給源として使用できるようにする。【解決手段】本体ケース３０から延び出す設置用リンク機構３２、３４の複数のアーム５０、５２、５４が所定の連結角度で固定されることによりフェンス１４に係止されるとともに、第１アーム５０に配設されたストッパ部材７２がフェンス１４の隙間１８と係合させられることにより、設置用リンク機構３２、３４がフェンス１４から離脱しないように位置決めされ、その設置用リンク機構３２、３４を介して本体ケース３０がフェンス１４に固定される。これにより、非常時に備えて常時ベランダ１２に設置しておく場合に、強風で移動式太陽光発電装置１０が移動したり転倒したりして損傷することが防止され、非常時に電力供給源として使用できる。【選択図】図２
2015109350.tif 000002
【特許請求の範囲】
【請求項１】
ソーラーパネルと、該ソーラーパネルで発電された電気を蓄電する蓄電装置を収容している本体ケースと、該本体ケースに配設されて前記ソーラーパネルを保持しているパネル保持部材と、を有する移動式太陽光発電装置において、
前記本体ケースから延び出すように直列に且つ相対回動可能に連結された複数のアームを備えており、前記本体ケースをフェンス等の取付対象に係止できるように該複数のアームの連結角度を固定できる設置用リンク機構と、
前記複数のアームの何れかに配設され、前記取付対象と係合させられることにより、前記設置用リンク機構が該取付対象から離脱しないように位置決めするストッパ部材と、
を有することを特徴とする移動式太陽光発電装置。
【請求項２】
前記設置用リンク機構は、前記複数のアームにより前記取付対象を上から跨ぐことができるように上下方向において逆Ｕ字形状に回曲する回曲形状部を形成できるように構成されている一方、
前記ストッパ部材は、前記複数のアームが前記回曲形状部を形成するように前記連結角度が固定された状態において、水平方向成分を有する姿勢で前記取付対象に設けられた係合穴内に挿入されるように、該複数のアームの何れかに配設されており、前記設置用リンク機構が該取付対象から上方へ離脱することを防止する
ことを特徴とする請求項１に記載の移動式太陽光発電装置。
【請求項３】
前記設置用リンク機構は、前記本体ケースから延び出すように配設される第１アームと、該第１アームの先端部に略水平な連結軸心まわりに相対回動可能に連結された第２アームと、長手方向の中間部において前記第２アームの先端部に略水平な連結軸心まわりに相対回動可能に連結された第３アームとを、前記複数のアームとして備えており、
前記ストッパ部材は、前記第１アームおよび前記第３アームの少なくとも一方に取り付けられており、
前記第３アームは前記パネル保持部材として用いられて前記ソーラーパネルを保持している
ことを特徴とする請求項１または２に記載の移動式太陽光発電装置。
【請求項４】
前記設置用リンク機構は、前記本体ケースから延び出すように配設される第１アームと、該第１アームの先端部に略水平な連結軸心まわりに相対回動可能に連結された第２アームと、長手方向の中間部において前記第２アームの先端部に略水平な連結軸心まわりに相対回動可能に連結された第３アームと、を前記複数のアームとして備えており、
前記ストッパ部材は、前記第１アームおよび前記第３アームの少なくとも一方に取り付けられており、
前記第３アームの先端部には、更に略水平な連結軸心まわりに相対回動可能に第４アームが連結されており、
該第４アームは前記パネル保持部材として用いられて前記ソーラーパネルを保持している
ことを特徴とする請求項１または２に記載の移動式太陽光発電装置。
【請求項５】
前記ソーラーパネルは、前記パネル保持部材に略水平な保持軸心まわりに回動可能に保持されており、
前記取付対象に対する設置状態において、第１ターンオーバスプリングにより前記ソーラーパネルを前記保持軸心まわりにおいて水平方向から傾斜した予め定められた発電位置に位置決めするとともに、該ソーラーパネルが該第１ターンオーバスプリングの思案点を超えて略水平な反転位置側へ回動させられると、該第１ターンオーバスプリングによって該反転位置側へ回動するように付勢する反転装置を備えている
ことを特徴とする請求項１〜４の何れか１項に記載の移動式太陽光発電装置。
【請求項６】
前記パネル保持部材は、略水平な支持軸心まわりに回動可能に配設されており、
前記取付対象に対する設置状態において、第２ターンオーバスプリングにより前記パネル保持部材を前記支持軸心まわりの予め定められた発電用保持位置に位置決めするとともに、前記ソーラーパネルが前記第１ターンオーバスプリングによって前記反転位置側へ回動させられた際に、該パネル保持部材が機械的に前記発電用保持位置から前記第２ターンオーバスプリングの思案点を超えて退避位置側へ回動させられると、該第２ターンオーバスプリングによって該退避位置に位置決めする退避装置を備えている
ことを特徴とする請求項５に記載の移動式太陽光発電装置。
【請求項７】
前記ソーラーパネルには、前記発電位置に位置決めされている状態で上端部に雨水を受け止める受け樋が設けられているとともに、該受け樋から雨水が流入する貯水タンクが吊り下げられており、該貯水タンクの重力で該発電位置から前記反転位置側へ回動させられる
ことを特徴とする請求項６に記載の移動式太陽光発電装置。
【発明の詳細な説明】
【技術分野】
【０００１】
本発明は移動式太陽光発電装置に係り、特に、屋外のベランダ等に設置しておいて常時充電しておくことにより非常時の電力供給源として好適に用いられる移動式太陽光発電装置に関するものである。
【背景技術】
【０００２】
ソーラーパネルと、そのソーラーパネルで発電された電気を蓄電する蓄電装置を収容している本体ケースと、その本体ケースに配設されて前記ソーラーパネルを保持しているパネル保持部材と、を有する移動式太陽光発電装置が知られている（特許文献１参照）。
【先行技術文献】
【特許文献】
【０００３】
【特許文献１】登録実用新案第３１７２５９８号公報
【発明の概要】
【発明が解決しようとする課題】
【０００４】
しかしながら、上記移動式太陽光発電装置は、非常時に備えて常時ベランダ等に設置して蓄電装置を充電する場合、フェンス等に固定するための固定手段を備えていないため、強風や地震などで装置が移動したり転倒したりして損傷する恐れがあった。
【０００５】
本発明は以上の事情を背景として為されたもので、その目的とするところは、強風等で損傷することが無いようにベランダのフェンス等に設置して常時蓄電装置を充電し、非常時に電力供給源として使用できるようにすることにある。
【課題を解決するための手段】
【０００６】
かかる目的を達成するために、第１発明は、ソーラーパネルと、そのソーラーパネルで発電された電気を蓄電する蓄電装置を収容している本体ケースと、その本体ケースに配設されて前記ソーラーパネルを保持しているパネル保持部材と、を有する移動式太陽光発電装置において、(a) 前記本体ケースから延び出すように直列に且つ相対回動可能に連結された複数のアームを備えており、フェンス等の取付対象に係止できるようにその複数のアームの連結角度を固定できる設置用リンク機構と、(b) 前記複数のアームの何れかに配設され、前記取付対象と係合させられることにより、前記設置用リンク機構がその取付対象から離脱しないように位置決めするストッパ部材と、を有することを特徴とする。
【０００７】
第２発明は、第１発明の移動式太陽光発電装置において、(a) 前記設置用リンク機構は、前記複数のアームにより前記取付対象を上から跨ぐことができるように上下方向において逆Ｕ字形状に回曲する回曲形状部を形成できるように構成されている一方、(b) 前記ストッパ部材は、前記複数のアームが前記回曲形状部を形成するように前記連結角度が固定された状態において、水平方向成分を有する姿勢で前記取付対象に設けられた係合穴内に挿入されるように、その複数のアームの何れかに配設されており、前記設置用リンク機構がその取付対象から上方へ離脱することを防止することを特徴とする。
【０００８】
第３発明は、第１発明または第２発明の移動式太陽光発電装置において、(a) 前記設置用リンク機構は、前記本体ケースから延び出すように配設される第１アームと、その第１アームの先端部に略水平な連結軸心まわりに相対回動可能に連結された第２アームと、長手方向の中間部において前記第２アームの先端部に略水平な連結軸心まわりに相対回動可能に連結された第３アームとを、前記複数のアームとして備えており、(b) 前記ストッパ部材は、前記第１アームおよび前記第３アームの少なくとも一方に取り付けられており、(c) 前記第３アームは前記パネル保持部材として用いられて前記ソーラーパネルを保持していることを特徴とする。
なお、「略水平」とは、本体ケースが予め定められた設置姿勢に保持されている場合に基本的には水平であることが望ましいが、加工誤差や組付誤差などで例えば水平方向から±５°程度以下の範囲で傾斜していても良い趣旨である。第４発明〜第６発明についても同様である。
【０００９】
第４発明は、第１発明または第２発明の移動式太陽光発電装置において、(a) 前記設置用リンク機構は、前記本体ケースから延び出すように配設される第１アームと、その第１アームの先端部に略水平な連結軸心まわりに相対回動可能に連結された第２アームと、長手方向の中間部において前記第２アームの先端部に略水平な連結軸心まわりに相対回動可能に連結された第３アームと、を前記複数のアームとして備えており、(b) 前記ストッパ部材は、前記第１アームおよび前記第３アームの少なくとも一方に取り付けられており、(c) 前記第３アームの先端部には、更に略水平な連結軸心まわりに相対回動可能に第４アームが連結されており、(d) その第４アームは前記パネル保持部材として用いられて前記ソーラーパネルを保持していることを特徴とする。
【００１０】
第５発明は、第１発明〜第４発明の何れかの移動式太陽光発電装置において、(a) 前記ソーラーパネルは、前記パネル保持部材に略水平な保持軸心まわりに回動可能に保持されており、(b) 前記取付対象に対する設置状態において、第１ターンオーバスプリングにより前記ソーラーパネルを前記保持軸心まわりにおいて水平方向から傾斜した予め定められた発電位置に位置決めするとともに、そのソーラーパネルがその第１ターンオーバスプリングの思案点を超えて略水平な反転位置側へ回動させられると、その第１ターンオーバスプリングによってその反転位置側へ回動するように付勢する反転装置を備えていることを特徴とする。
【００１１】
第６発明は、第５発明の移動式太陽光発電装置において、(a) 前記パネル保持部材は、略水平な支持軸心まわりに回動可能に配設されており、(b) 前記取付対象に対する設置状態において、第２ターンオーバスプリングにより前記パネル保持部材を前記支持軸心まわりの予め定められた発電用保持位置に位置決めするとともに、前記ソーラーパネルが前記第１ターンオーバスプリングによって前記反転位置側へ回動させられた際に、そのパネル保持部材が機械的に前記発電用保持位置から前記第２ターンオーバスプリングの思案点を超えて退避位置側へ回動させられると、その第２ターンオーバスプリングによってその退避位置に位置決めする退避装置を備えていることを特徴とする。
【００１２】
第７発明は、第６発明の移動式太陽光発電装置において、前記ソーラーパネルには、前記発電位置に位置決めされている状態で上端部に雨水を受け止める受け樋が設けられているとともに、その受け樋から雨水が流入する貯水タンクが吊り下げられており、その貯水タンクの重力でその発電位置から前記反転位置側へ回動させられることを特徴とする。
【発明の効果】
【００１３】
このような移動式太陽光発電装置においては、本体ケースから延び出す設置用リンク機構の複数のアームが所定の連結角度で固定されることによりフェンス等の取付対象に係止できるとともに、複数のアームの何れかに配設されたストッパ部材がその取付対象と係合させられることにより、設置用リンク機構が取付対象から離脱しないように位置決めされ、その設置用リンク機構を介して本体ケースが取付対象に固定される。これにより、非常時に備えて常時ベランダ等に設置して蓄電装置を充電する場合に、強風等で装置が移動したり転倒したりして損傷することが防止され、非常時に電力供給源として使用できる。
【００１４】
第２発明では、取付対象を上から跨ぐ回曲形状部を形成できるように設置用リンク機構が構成されているとともに、ストッパ部材は水平方向成分を有する姿勢で取付対象に設けられた係合穴内に挿入されるように何れかのアームに配設され、その設置用リンク機構が取付対象から上方へ離脱することを防止するようになっているため、ベランダのフェンス等に本体ケースを吊り下げるなどして適切に固定することができる。
【００１５】
第３発明は、第１アーム〜第３アームの３本のアームによって設置用リンク機構が構成されているため、取付対象に対して係止する際の形態の自由度が高く、例えば第２発明のように上下方向において逆Ｕ字形状となる回曲形状部を形成してベランダのフェンス等に適切に固定できる一方、第３アームはパネル保持部材として用いられてソーラーパネルを保持するようになっているため、装置を簡単且つ安価でコンパクトに構成できる。
【００１６】
第４発明も、第１アーム〜第３アームの３本のアームによって設置用リンク機構が構成されているため、取付対象に対して係止する際の形態の自由度が高く、例えば第２発明のように上下方向において逆Ｕ字形状となる回曲形状部を形成してベランダのフェンス等に適切に固定できる。また、第３アームの先端部に更に第４アームが連結され、その第４アームがパネル保持部材として用いられてソーラーパネルを保持するようになっているため、ソーラーパネルの配置位置の自由度が高くなり、太陽光を効果的に受光できるようにフェンス等の取付対象から外方へ突き出して配置することができる。
【００１７】
第５発明では、ソーラーパネルが第１ターンオーバスプリングによって通常は発電位置に位置決めされ、太陽光を適切に受光して発電できる一方、強風等でソーラーパネルが第１ターンオーバスプリングの思案点を超えて略水平な反転位置側へ回動させられると、その第１ターンオーバスプリングによってその反転位置側に保持されるため、強風によりソーラーパネルや設置用リンク機構等が破損することが抑制される。
【００１８】
第６発明では更に、パネル保持部材が略水平な支持軸心まわりに回動可能に配設されており、通常は第２ターンオーバスプリングにより発電用保持位置に位置決めされることにより、前記発電位置に位置決めされているソーラーパネルに太陽光が適切に照射されて効率良く発電できる。一方、強風などでソーラーパネルが前記第１ターンオーバスプリングによって反転位置側へ回動させられ、それに伴って機械的にパネル保持部材が第２ターンオーバスプリングの思案点を超えて退避位置側へ回動させられると、その第２ターンオーバスプリングによってその退避位置に位置決めされる。これにより、ソーラーパネルを軒下等まで退避させることが可能で、強風等によりソーラーパネルや設置用リンク機構等が破損することが更に適切に抑制される。
【００１９】
第７発明では、ソーラーパネルの上端部に受け樋および貯水タンクが設けられており、その貯水タンク内に雨水が流入して重くなると、その重力でソーラーパネルが発電位置から反転位置側へ回動させられる。このため、大雨や大雪などの際にも第６発明のようにソーラーパネルが反転位置側へ回動させられ、更にパネル保持部材が第２ターンオーバスプリングの思案点を超えて退避位置側へ回動させられることにより、ソーラーパネルを軒下等まで退避させることが可能で、大雨や大雪などでソーラーパネルや設置用リンク機構が破損することが適切に抑制される。
【図面の簡単な説明】
【００２０】
【図１】本発明の一実施例である移動式太陽光発電装置がベランダのフェンスに設置された状態の正面図である。
【図２】図１の移動式太陽光発電装置の左側面図である。
【図３】図１の移動式太陽光発電装置を単独で示す斜視図である。
【図４】図１の移動式太陽光発電装置のソーラーパネルのターンオーバ機構を説明する図である。
【図５】図１の移動式太陽光発電装置を野外で使用する場合の一例を示す側面図である。
【図６】本発明の他の実施例を説明する図で、図１に対応する正面図である。
【図７】図６の実施例の左側面図である。
【図８】本発明の更に別の実施例を説明する図で、図１に対応する正面図である。
【図９】図８の実施例の左側面図である。
【図１０】本発明の更に別の実施例を説明する図で、図１に対応する正面図である。
【図１１】図１０の実施例の左側面図で、ソーラーパネルの上端部に設けられた受け樋および貯水タンク部分の拡大図を併せて示した図である。
【図１２】本発明の更に別の実施例を説明する図で、図２に対応する左側面図である。
【図１３】本発明の更に別の実施例を説明する図で、図２に対応する左側面図である。
【図１４】本発明の更に別の実施例を説明する図で、図２に対応する左側面図である。
【図１５】本発明の更に別の実施例を説明する図で、図１に対応する正面図である。
【図１６】図１５の実施例の左側面図である。
【図１７】図１５の移動式太陽光発電装置を野外等に独立に設置した場合の一例を示す側面図である。
【図１８】図１５の移動式太陽光発電装置の本体ケースをソーラーパネルから分離して別個に配置した場合の一例を示す図である。
【発明を実施するための形態】
【００２１】
本発明の移動式太陽光発電装置は、ベランダ等に設置されて常時発電して蓄電装置を充電しておき、停電を伴う災害時等に屋内へ持ち込むなどして電源を確保する一般家庭用の非常用電源装置として好適に用いられるが、ソーラーパネルで発電した電気を補助的に日常的に使用することもできるなど、種々の使用態様が可能である。例えば非常時に携帯電話の充電や照明、ラジオ、テレビ等の必要最小限の電源を確保するのであれば、１０Ｗ〜３０Ｗ程度の小型のソーラーパネルを用いることができる。本体ケースには、蓄電装置の他に、発電電力を蓄電装置に供給する充電コントローラ、蓄電装置の電力をＡＣ１００Ｖに変換するＤＣ−ＡＣコンバータ、ＡＣ１００Ｖ出力コンセント、ＤＣ５Ｖを出力するＵＳＢコンセント等が設けられる。本体ケースにはまた、移動用の車輪やハンドル、取っ手等を取り付けることもできる。
【００２２】
パネル保持部材は、例えば略水平な保持軸心まわりに回動可能にソーラーパネルを保持するように構成されるが、予め定められた一定の姿勢でソーラーパネルを保持するものでも良い。設置用リンク機構は、例えば本体ケースの幅方向の中央部分に１組設けるだけでも良いが、本体ケースの幅方向に離間して２組配設すれば、本体ケースの姿勢が安定して望ましい。また、２組の設置用リンク機構の対応するリンク同士の少なくとも一部を連結バーを介して互いに一体的に連結することが強度的に望ましい。ストッパ部材は、例えば何れかのアームから片持ち状に突き出すように設けられるが、取付対象に設けられた係合穴を貫通して、その両側に位置する一対のアームに跨がって取り付けることも可能である。ストッパ部材が片持ち状に設けられる場合、例えば先端側程上下寸法が狭くなる楔形状とし、先端側から係合穴内に挿入されて係合穴の上壁および下壁の双方に係合させられるように配置することが望ましい。
【００２３】
第３発明および第４発明では、例えば取付対象に対する設置状態において、前記第１アームは前記本体ケースから上方へ延び出す姿勢で前記本体ケースに配設され、前記第２アームは略水平になる姿勢で前記第１アームの先端部に一体的に固定され、前記第３アームは略垂直になる姿勢で前記第２アームの先端部に一体的に固定されることにより、該第２アームから下方部分によって逆Ｕ字形状の回曲形状部が形成されるように構成される。第１アームは、例えば略水平な連結軸心まわりに回動可能に本体ケースに連結されるが、上方へ延び出す一定の姿勢で本体ケースに配設することもできる。
【００２４】
第３発明および第４発明ではまた、例えば(a) 前記取付対象は、略垂直に立設されるとともに上端部に所定の隙間を隔てて略水平に手摺が設けられたフェンスで、(b) 前記設置用リンク機構は、前記回曲形状部が該フェンスを上から跨ぐように配設され、前記第１アームおよび前記第３アームは該フェンスを挟んで互いに反対側に位置させられるとともに、(c) 該第１アームおよび該第３アームの少なくとも一方に配設された前記ストッパ部材は、前記隙間内に挿入されて、前記設置用リンク機構が前記フェンスから上方へ離脱することを阻止するように該フェンスに係止されるように構成される。隙間は、第２発明の係合穴に相当する。
【００２５】
第３発明および第４発明ではまた、例えば前記第１アームと前記第２アームとの連結部、および該第２アームと前記第３アームとの連結部の少なくとも一方は、該第２アームに設けられた該第２アームの長手方向に長い長穴を介して位置調整可能に連結されるように構成される。第１アームおよび第３アームに長穴を設けて位置調整可能とすることもできる。前記ストッパ部材が取り付けられるアームにも、その取付部分に必要に応じて長穴を設けて位置調整可能とすることができる。
【００２６】
第３発明、第４発明では、設置用リンク機構が第１アーム〜第３アームの３本のアームで構成されているが、例えば第２アームおよび第３アームを略直角に交差するＴ字形状の単一のアームとし、第１アームとそのＴ字形状のアームとの２本のアームで設置用リンク機構を構成することも可能である。
【００２７】
第５発明および第６発明では、ターンオーバ機構によってソーラーパネルやパネル保持部材の姿勢が反転させられるようになっているが、それ等のソーラーパネルやパネル保持部材を予め定められた一定の姿勢で固定することも可能である。また、第３発明および第４発明では、設置用リンク機構の第３アームおよびその第３アームに連結された第４アームがパネル保持部材として用いられているが、設置用リンク機構とは別個にパネル保持部材を本体ケースに配設することも可能である。第５発明〜第７発明の特徴部分は、ソーラーパネルの支持構造に関するものであり、本発明の移動式以外の太陽光発電装置、例えばソーラーパネルと本体ケースとが接続コードを介して接続され、互いに分離して配置される太陽光発電装置などに適用することもできる。
【実施例】
【００２８】
以下、本発明の実施例を、図面を参照しつつ詳細に説明する。
図１は、本発明の一実施例である移動式太陽光発電装置１０が住宅のベランダ１２のフェンス１４に設置された状態を示す正面図で、図２は左側面図、図３は移動式太陽光発電装置１０を単独で示す斜視図である。フェンス１４は、ベランダ１２の前端に略垂直に立設された平板状の腰壁部１６と、その腰壁部１６の上端に所定の隙間１８を隔てて略水平に設けられた手摺２０とを備えており、移動式太陽光発電装置１０はそのフェンス１４に着脱可能に取り付けられている。すなわち、この移動式太陽光発電装置１０は、ベランダ１２等の狭いスペースに設置できるようにコンパクトに構成されており、一般家庭用の非常用電源装置として好適に用いられるものである。フェンス１４は取付対象に相当し、隙間１８は係合穴として機能するが、フェンス１４以外の取付対象に取り付けることも可能である。
【００２９】
移動式太陽光発電装置１０は、直方体形状の本体ケース３０と、その本体ケース３０の左右両側面に対称的に設けられた２組の設置用リンク機構３２、３４と、その設置用リンク機構３２、３４の先端に跨がって設けられたソーラーパネル３６とを備えている。ソーラーパネル３６は、図２の左側の面が受光面で、太陽光が照射されることにより発電するものであり、本実施例では非常時に必要最小限の電源を確保できるように１０Ｗ〜３０Ｗ程度の小型のソーラーパネルが使用されている。本体ケース３０には、そのソーラーパネル３６で発電した電気を蓄電する蓄電装置３８、充電コントローラ４０、蓄電装置３８の電力をＡＣ１００Ｖに変換するＤＣ−ＡＣコンバータ４２、ＡＣ１００Ｖ出力コンセント４４、ＤＣ５Ｖを出力するＵＳＢコンセント４５等が設けられている。本体ケース３０にはまた、移動用の左右車輪４６や、移動させる際に把持するハンドル４８等が取り付けられている。
【００３０】
設置用リンク機構３２、３４は左右対称に構成されており、それぞれ互いに相対回動可能に直列に連結された何れも直線状の第１アーム５０、第２アーム５２、および第３アーム５４を備えている。第１アーム５０は、本体ケース３０から延び出すようにその本体ケース３０の側面の上部中央付近に略水平な連結軸心Ｓ１まわりに回動可能に連結されているとともに、連結部分には長手方向に長穴５６が設けられて位置調整可能とされており、ボルトおよびナット等の締結具５８により一定の姿勢で本体ケース３０に一体的に固定されるようになっている。第２アーム５２は、第１アーム５０の先端部に略水平な連結軸心Ｓ２まわりに相対回動可能に連結されているとともに、連結部分には長手方向に長穴６０が設けられて位置調整可能とされており、ボルトおよびナット等の締結具６２により一定の連結角度で第１アーム５０に一体的に固定されるようになっている。第３アーム５４は、長手方向の中間部分において第２アーム５２の先端部に略水平な連結軸心Ｓ３まわりに相対回動可能に連結されており、ボルトおよびナット等の締結具６４により一定の連結角度で第２アーム５２に一体的に固定されるようになっている。そして、この第３アーム５４の先端部すなわち図１〜図３における上端部は、フェンス１４から上方へ突き出しているとともに、その先端部には略水平な保持軸心Ｓｐまわりに相対回動可能にソーラーパネル３６が配設されており、ボルトおよびナット等の締結具６６により回動可能且つ離脱不能に保持されている。本実施例では第３アーム５４がパネル保持部材を兼ねている。なお、左右の設置用リンク機構３２、３４の第２アーム５２同士は、略水平な連結バー６８を介して互いに一体的に連結されている。また、ソーラーパネル３６は、脱落防止ワイヤ４９によって一方の設置用リンク機構３４の第１アーム５０に繋ぎ止められている。
【００３１】
上記設置用リンク機構３２、３４は、図１および図２に示す設置状態において、第１アーム５０は本体ケース３０から上方へ延び出す姿勢で本体ケース３０に配設され、第２アーム５２は略水平になる姿勢で第１アーム５０の先端部に一体的に固定され、第３アーム５４は略垂直になる姿勢で第２アーム５４の先端部に一体的に固定されている。これにより、第２アーム５２から下方部分によって逆Ｕ字形状の回曲形状部７０が形成され、フェンス１４を上から跨ぐように取り付けられて、第１アーム５０および第３アーム５４がフェンス１４を挟んで互いに反対側に位置させられることにより、本体ケース３０の前後方向（図２の左右方向）の移動すなわちフェンス１４に対して接近離間する方向の移動が規制される。具体的には、ハンドル４８が腰壁部１６に当接するように本体ケース３０が配置されるとともに、第２アーム５２が手摺２０の上面に略平行に密着するように第１アーム５０の長手方向位置が長穴５６によって調整され、更に第３アーム５４の下端部が腰壁部１６の外側の面（図２における左側の面）に密着するように、第２アーム５２の長手方向位置が長穴６０によって調整されることにより、本体ケース３０が一対の設置用リンク機構３２、３４によってフェンス１４に固定される。この設置例では、第１アーム５０が斜め後方へ傾斜するように本体ケース３０から上方へ延び出しており、回曲形状部７０は傾斜した逆Ｊ字形状を成している。
【００３２】
また、上記第１アーム５０には、ストッパ部材７２が略水平な取付軸心Ｓｔまわりに相対回動可能に片持ち状に後方へ突き出すように配設されており、前記隙間１８内に挿入されて係合させられるように、ボルトおよびナット等の締結具７４により所定の取付角度で第１アーム５０に一体的に固定されている。このストッパ部材７２は、先端側程上下寸法が狭くなる楔形状を成しており、略水平方向へ突き出して先端側から隙間１８内に挿入され、隙間１８の上壁および下壁の双方に係合させられることにより、設置用リンク機構３２、３４がフェンス１４から上方へ離脱することが阻止される。本実施例では、ストッパ部材７２が隙間１８の上壁および下壁の双方に係合させられるため、第２アーム５２との間で手摺２０を挟み込むようになり、設置用リンク機構３２、３４がガタつくことなくフェンス１４に一体的に取り付けられる。
【００３３】
一方、前記第３アーム５４がソーラーパネル３６を保持軸心Ｓｐまわりに回動可能に保持している部分には、ターンオーバ式の反転装置７６が設けられており、ソーラーパネル３６を図２、図４に実線で示すように水平方向から傾斜した発電位置と、一点鎖線で示すように略水平な反転位置とに位置決めするようになっている。図４は、反転装置７６を拡大して示した図で、第１ターンオーバスプリングとして機能する引張コイルスプリング７８を備えており、その引張コイルスプリング７８は、ソーラーパネル３６に相対回転不能に配設された円形プレート８０の係止ピン８２と、第２アーム５２に設けられた係止ピン８４とに掛け止められている。そして、図２、図４に実線で示すように引張コイルスプリング７８が保持軸心Ｓｐよりも左側に位置する場合には、ソーラーパネル３６は保持軸心Ｓｐの左まわり方向へ回動するように付勢され、一点鎖線で示すように引張コイルスプリング７８が保持軸心Ｓｐよりも右側に位置する場合には、ソーラーパネル３６は保持軸心Ｓｐの右まわり方向へ回動するように付勢される。この付勢方向は、引張コイルスプリング７８が保持軸心Ｓｐと一致する思案点を境にして変化する。
【００３４】
上記円形プレート８０には、図４に示すように保持軸心Ｓｐを中心とする円弧に沿って長穴８６が設けられているとともに、その長穴８６には第３アーム５４に立設された位置決めピン８８が係合させられており、この位置決めピン８８が長穴８６の両端部に当接させられることにより、ソーラーパネル３６が上記発電位置および反転位置に択一的に位置決めされる。発電位置におけるソーラーパネル３６の傾斜角度は、優れた発電効率が得られるように太陽の高さ等を考慮して適宜定められ、通常はこの発電位置にソーラーパネル３６が位置決めされるが、強風などでソーラーパネル３６が図２、図４の右まわりに回動させられ、引張コイルスプリング７８が思案点を超えると、図４に矢印Ａで示すようにソーラーパネル３６が反転位置まで回動させられるとともに、引張コイルスプリング７８の付勢力に従ってその反転位置に位置決めされる。
【００３５】
このような本実施例の移動式太陽光発電装置１０においては、本体ケース３０から延び出す設置用リンク機構３２、３４の複数のアーム５０、５２、５４が所定の連結角度で固定されることによりフェンス１４に係止されるとともに、第１アーム５０に配設されたストッパ部材７２がフェンス１４の隙間１８と係合させられることにより、設置用リンク機構３２、３４がフェンス１４から離脱しないように位置決めされ、その設置用リンク機構３２、３４を介して本体ケース３０がフェンス１４に固定される。これにより、非常時に備えて常時ベランダ１２等に設置して蓄電装置３８を充電する場合に、強風等で移動式太陽光発電装置１０が移動したり転倒したりして損傷することが防止され、非常時には本体ケース３０のみ或いは設置用リンク機構３２、３４と共にフェンス１４から取り外して屋内等へ持ち込み、或いはフェンス１４に設置したまま、携帯電話の充電や照明、ラジオ、テレビ等の必要最小限の電力供給源として使用できる。
【００３６】
また、フェンス１４を上から跨ぐ逆Ｕ字形状の回曲形状部７０を形成できるように設置用リンク機構３２、３４が構成されているとともに、ストッパ部材７２は水平方向成分を有する姿勢で隙間１８内に挿入されるように第１アーム５０に配設され、その設置用リンク機構３２、３４がフェンス１４から上方へ離脱することを防止するようになっているため、ベランダ１２のフェンス１４に本体ケース３０を適切に固定することができる。
【００３７】
また、第１アーム５０、第２アーム５２、および第３アーム５４の３本のアームによって設置用リンク機構３２、３４が構成されているため、フェンス１４等の取付対象に対して係止する際の形態の自由度が高く、上下方向において逆Ｕ字形状となる回曲形状部７０を形成してフェンス１４に適切に固定できる一方、第３アーム５４はパネル保持部材として用いられてソーラーパネル３６を保持するようになっているため、移動式太陽光発電装置１０を簡単且つ安価でコンパクトに構成できる。
【００３８】
また、ソーラーパネル３６が通常は引張コイルスプリング７８の付勢力に従って発電位置に位置決めされ、太陽光を適切に受光して発電できる一方、強風等でソーラーパネル３６が引張コイルスプリング７８の思案点を超えて略水平な反転位置側へ回動させられると、その引張コイルスプリング７８によってその反転位置に位置決めされるため、強風によりソーラーパネル３６や設置用リンク機構３２、３４等が破損することが抑制される。
【００３９】
なお、図１および図２は、本実施例の移動式太陽光発電装置１０が非常時に備えてベランダ１２に設置された場合であるが、この移動式太陽光発電装置１０を図５に示すように野外等へ持ち出して独立に設置し、電源装置として日常的に使用することも可能である。すなわち、本体ケース３０には車輪４６が設けられているため、ハンドル４８を把持して本体ケース３０を容易に移動させることができる。その場合には、特に構造物に固定する必要がないため、設置用リンク機構３２、３４を単にソーラーパネル３６の支持装置として用いることが可能で、前記ストッパ部材７２や反転装置７６を取り外し、ソーラーパネル３６を任意の姿勢で任意の高さ位置に固定して使用することができる。
【００４０】
次に、本発明の他の実施例を説明する。なお、以下の実施例において前記実施例と実質的に共通する部分には同一の符号を付して詳しい説明を省略する。
【００４１】
図６および図７の移動式太陽光発電装置１００は、前記実施例の移動式太陽光発電装置１０に比較して、本体ケース３０の車輪４６およびハンドル４８が無く、使用者が持ち上げて運ぶものである。また、設置用リンク機構１０２、１０４の第１アーム１０６が相違し、前記第１アーム５０よりも短いとともに、本体ケース３０の側面の上部後端付近に略水平な連結軸心Ｓ１まわりに回動可能に連結されており、略垂直に上方へ延び出す姿勢で締結具５８により本体ケース３０に一体的に固定されることにより、本体ケース３０の背面と略面一になる。すなわち、この第１アーム１０６および前記第２アーム５２、第３アーム５４により設置用リンク機構１０２、１０４が構成されており、図７に示すように第１アーム１０６および第３アーム５４が互いに略平行になり、平板状の腰壁部１６の両面に密着するように、各アーム１０６、５２、５４の連結角度が何れも略９０°に固定されることにより、上下方向において逆Ｕ字形状となる回曲形状部１０８が形成される。そして、このような設置用リンク機構１０２、１０４が、フェンス１４の上端部を跨ぐように配設され、ストッパ部材７２が隙間１８内に挿入されて手摺２０と係合させられることにより、設置用リンク機構１０２、１０４がフェンス１４の上端部に離脱不能で且つガタつかないように一体的に取り付けられ、この設置用リンク機構１０２、１０４により本体ケース３０がフェンス１４の上端部に吊り下げられるとともに、本体ケース３０の背面が腰壁部１６に略密着する垂直姿勢に位置決めされて設置される。
【００４２】
本実施例においても、設置用リンク機構１０２、１０４を介して本体ケース３０がフェンス１４に固定され、強風等で移動式太陽光発電装置１００が移動したり転倒したりして損傷することが防止されるとともに、非常時には本体ケース３０のみ或いは設置用リンク機構１０２、１０４と共にフェンス１４から取り外して屋内等で電力供給源として使用できるなど、前記実施例と同様の作用効果が得られる。
【００４３】
図８および図９の移動式太陽光発電装置１１０は、上記移動式太陽光発電装置１００に比較して、設置用リンク機構１０２、１０４の第３アーム５４の先端部（上端部）に、更に略水平な連結軸心Ｓ４まわりに相対回動可能に直線状の第４アーム１１２が連結されている点が相違する。第４アーム１１２は、ボルトおよびナット等の締結具１１４により一定の連結角度で第３アーム５４に一体的に固定されるようになっており、その第４アーム１１２の先端部には、前記実施例と同様に締結具６６を介して略水平な保持軸心Ｓｐまわりに相対回動可能且つ離脱不能にソーラーパネル３６が配設されている。ソーラーパネル３６と第４アーム１１２との間には、前記反転装置７６が配設されており、ソーラーパネル３６は、通常は引張コイルスプリング７８の付勢力に従って図９に実線で示す発電位置に位置決めされるが、強風などで右まわりに回動させられて思案点を超えると、矢印Ａで示すように一点鎖線で示す反転位置側へ回動するように付勢される。本実施例では第４アーム１１２がパネル保持部材を兼ねており、連結軸心Ｓ４は支持軸心に相当する。なお、左右の第４アーム１１２同士は、略水平な連結バー１１６を介して互いに一体的に連結されている。
【００４４】
一方、第３アーム５４と第４アーム１１２との間には、ソーラーパネル３６が引張コイルスプリング７８により反転位置側へ回動させられた際に、機械的に第４アーム１１２を図９に実線で示す発電用保持位置から二点鎖線で示す退避位置側へ回動させるターンオーバ式の退避装置１２０が配設されている。退避装置１２０は、第３アーム５４の上端部に連結軸心Ｓ４まわりに相対回動可能で且つ第４アーム１１２に対しても相対回動可能に配設された連動レバー１２２、および第４アーム１１２と第２アーム５２とに跨がって張設された引張コイルスプリング１２４を備えている。連動レバー１２２は、ソーラーパネル３６が反転位置側へ回動させられた際に、そのソーラーパネル３６と係合させられて連結軸心Ｓ４の右まわりに回動させられるとともに、この連動レバー１２２には連結軸心Ｓ４の右まわりへ回動する際に第４アーム１１２と係合する係合突起１２６が設けられており、これによりソーラーパネル３６の回動に連動して機械的に第４アーム１１２が矢印Ｂで示すように連結軸心Ｓ４の右まわりに回動させられる。連動レバー１２２の先端部には、ソーラーパネル３６と係合可能なように係合ピンが内向きに立設されている。
【００４５】
上記引張コイルスプリング１２４は第２ターンオーバスプリングに相当し、第４アーム１１２を図９に実線で示す発電用保持位置と、二点鎖線で示す退避位置とに位置決めするようになっている。発電用保持位置は、第４アーム１１２がフェンス１４から外側へ突き出すように斜め上方へ延び出す姿勢で、発電位置に位置決めされているソーラーパネル３６により適切に発電を行うことができる。退避位置は、逆に第４アーム１１２がフェンス１４の内側へ向かうように傾斜する姿勢で、その第４アーム１１２に保持されているソーラーパネル３６が軒下等に退避させられる。この引張コイルスプリング１２４によるターンオーバ機構も、前記図４に示す反転装置７６と同様に構成されており、図示しない長穴および位置決めピン等によって発電用保持位置および退避位置が規定される。必要に応じて、反転装置７６と同様に円板プレートなどが設けられる。そして、図９において引張コイルスプリング１２４が連結軸心Ｓ４よりも左側に位置する間は、第４アーム１１２は連結軸心Ｓ４の左まわり方向へ回動するように付勢され、実線で示す発電用保持位置に位置決めされる一方、引張コイルスプリング１２４が連結軸心Ｓ４よりも右側に位置するようになると、第４アーム１１２は連結軸心Ｓ４の右まわり方向へ回動するように付勢され、二点鎖線で示す退避位置に位置決めされる。この付勢方向は、引張コイルスプリング１２４が連結軸心Ｓ４と一致する思案点を境にして変化する。なお、第４アーム１１２が二点鎖線で示す退避位置へ回動させられる過程で、連動レバー１２２が第２アーム５２に係合させられるなどしてソーラーパネル３６が反転位置から発電位置へ戻される。
【００４６】
本実施例の移動式太陽光発電装置１１０によれば、第３アーム５４の先端部に更に第４アーム１１２が連結され、その第４アーム１１２がパネル保持部材として用いられてソーラーパネル３６を保持するようになっているため、ソーラーパネル３６の配置位置の自由度が高くなり、太陽光を効果的に受光できるようにフェンス１４から外側へ突き出す位置でソーラーパネル３６を保持することが可能で、発電効率を向上させることができる。
【００４７】
また、上記第４アーム１１２が略水平な連結軸心Ｓ４まわりに回動可能に配設されており、通常は引張コイルスプリング１２４の付勢力に従って発電用保持位置に位置決めされることにより、発電位置に位置決めされているソーラーパネル３６に太陽光が効果的に照射されて効率良く発電できる一方、強風などでソーラーパネル３６が引張コイルスプリング７８によって反転位置側へ回動させられ、それに伴って第４アーム１１２が機械的に引張コイルスプリング１２４の思案点を超えて退避位置側へ回動させられると、その引張コイルスプリング１２４によってその退避位置に位置決めされる。これにより、ソーラーパネル３６を強風等が当たりにくい軒下等まで退避させることが可能で、強風等によりソーラーパネル３６や設置用リンク機構１０２、１０４等が破損することが更に適切に抑制される。
【００４８】
図１０および図１１の移動式太陽光発電装置１３０は、上記移動式太陽光発電装置１１０に比較し、ソーラーパネル３６が前記発電位置に位置決めされている状態において、そのソーラーパネル３６の上端部に雨水を受け止める受け樋１３２が設けられているとともに、その受け樋１３２から雨水が流入する貯水タンク１３４が吊り下げられている点が相違する。貯水タンク１３４は、幅方向に離間して設けられた一対の弾性変形可能なゴムホース等の導水管１３６によって受け樋１３２に吊り下げられており、保持軸心Ｓｐまわりのソーラーパネル３６の姿勢変化に拘らず重力によって受け樋１３２の下方位置に保持され、雨水の貯水状態を維持できるとともに、その導水管１３６を通って受け樋１３２から雨水が流入する。
【００４９】
このような移動式太陽光発電装置１３０においては、ソーラーパネル３６の上端部に受け樋１３２および貯水タンク１３４が設けられており、その貯水タンク１３４内に雨水が流入して重くなると、その重力でソーラーパネル３６が発電位置から反転位置側へ回動させられる。このため、強風時だけでなく大雨や大雪などの際にもソーラーパネル３６が反転位置側へ回動させられ、更に第４アーム１１２が引張コイルスプリング１２４の思案点を超えて退避位置側へ回動させられることにより、ソーラーパネル３６を軒下等まで退避させることが可能で、大雨や大雪などでソーラーパネル３６や設置用リンク機構１０２、１０４等が破損することが適切に抑制される。
【００５０】
図１２の移動式太陽光発電装置１４０は、図６および図７の移動式太陽光発電装置１００に比較して、片持ち状のストッパ部材７２の代わりに、第１アーム１０６および第３アーム５４に跨がって配設されるストッパ部材１４２を有する点が相違する。ストッパ部材１４２は直線形状を成しており、フェンス１４の隙間１８内を挿通させられるとともに、その隙間１８から突き出す両端部においてそれぞれボルトおよびナット等の締結具１４４、１４６により第１アーム１０６、第３アーム５４に一体的に固定されるようになっている。これにより、設置用リンク機構１０２、１０４がフェンス１４から上方へ離脱することが防止される。このストッパ部材１４２の両端の取付部の何れか一方（実施例では第１アーム１０６側の取付部）には、ストッパ部材１４２の長手方向に長穴１４８が設けられ、その長手方向の位置調整可能とされている。ストッパ部材１４２は、第２アーム５２との間で手摺２０を上下両側から挟んでガタつかないように配設することが望ましく、必要に応じて第１アーム１０６、第３アーム５４にそれぞれその長手方向に長穴を設け、ストッパ部材１４２の上下方向の位置調整を可能とすることもできる。本実施例においても、図６および図７の移動式太陽光発電装置１００と同様の作用効果が得られる。このような実施態様は、フェンス１４等に吊り下げて設置される他の移動式太陽光発電装置１１０、１３０にも同様に適用できる。
【００５１】
図１３の移動式太陽光発電装置１５０は、図６および図７の移動式太陽光発電装置１００に比較して、片持ち状のストッパ部材７２が第３アーム５４側に取り付けられている点が相違する。すなわち、ストッパ部材７２は、第１アーム１０６および第３アーム５４のどちらに取り付けることも可能で、設置条件に応じて適宜選択できる。このような実施態様は、他の移動式太陽光発電装置１０、１１０、１３０にも同様に適用できる。
【００５２】
図１４の移動式太陽光発電装置１６０は、図６および図７の移動式太陽光発電装置１００に比較して、第２アーム５２および第３アーム５４の代わりに、それ等の設置時と略同じＴ字形状の単一のＴ字アーム１６２を採用し、前記第１アーム１０６およびＴ字アーム１６２の２本のアームによって左右の設置用リンク機構１６４、１６６が構成されている点が相違する。本実施例においても、図６および図７の移動式太陽光発電装置１００と同様の作用効果が得られる。このような実施態様は、他の移動式太陽光発電装置１０、１１０、１３０、１４０、１５０にも同様に適用できる。
【００５３】
図１５および図１６の移動式太陽光発電装置１７０は、図８および図９の移動式太陽光発電装置１１０に比較して設置用リンク機構１７２、１７４が相違し、直列に相対回動可能に連結された一対の第１アーム１７６および第２アーム１７８によって構成されている。第１アーム１７６は、本体ケース３０の側面に連結軸心Ｓ１まわりに回動可能に連結されているとともに、略上方へ延び出す一定の姿勢で締結具５８により一体的に固定されるようになっており、本体ケース３０はその第１アーム１７６に吊り下げられた状態で背面が腰壁部１６に密着するように当接させられる垂直姿勢に保持される。第２アーム１７８は、その長手方向の中間位置において第１アーム１７６の先端部（上端部）に連結軸心Ｓ２まわりに相対回動可能に連結されているとともに、略垂直に上方へ延び出す垂直姿勢で締結具６２により第１アーム１７６に一体的に固定される。そして、その第２アーム１７８の先端部（上端部）に、前記パネル保持部材として機能する第４アーム１１２が締結具１１４により連結軸心Ｓ４まわりに回動可能に取り付けられている。
【００５４】
一方、左右の設置用リンク機構１７２、１７４の第２アーム１７８同士は、その背面に一体的に固設された平坦な押え板１８０を介して互いに一体的に連結されている。押え板１８０は、上下方向の幅寸法が前記手摺２０および隙間１８を合わせた高さ寸法よりも十分に大きく、手摺２０および腰壁部１６の両者に跨がって内側面に当接させられるとともに、一対のＵ字ボルト１８２がその手摺２０を外側から跨ぐように配設されて押え板１８０を貫通させられ、ナット１８４が螺合されることにより、フェンス１４に一体的に固定されるようになっている。この実施例では、押え板１８０およびＵ字ボルト１８２がストッパ部材に相当し、前記移動式太陽光発電装置１１０と同様の作用効果が得られる。
【００５５】
また、上記第２アーム１７８の連結軸心Ｓ２より下側、すなわち連結軸心Ｓ４と反対側の長さ寸法は、本体ケース３０の連結軸心Ｓ１より下側の高さ寸法と略同じである。したがって、図１７に示すように第１アーム１７６が略水平で且つ第２アーム１７８が略垂直になる姿勢で、締結具５８、６２によりそれ等の第１アーム１７６、第２アーム１７８を固定することにより、移動式太陽光発電装置１７０を野外等の任意の場所に独立に配置して、電源装置として日常的に使用することも可能である。この場合、反転装置７６や退避装置１２０、連動レバー１２２等を取り外し、ソーラーパネル３６を任意の姿勢で任意の高さ位置に固定して使用することもできる。
【００５６】
また、例えば図１８に示すように、第１アーム１７６および本体ケース３０を、フェンス１４に固定された第２アーム１７８から取り外し、本体ケース３０を軒下等の任意の場所に別個に配置することもできる。この場合、ソーラーパネル３６で発電された電気を蓄電装置３８に充電できるように、本体ケース３０は接続コード１８６を用いてソーラーパネル３６に接続される。本体ケース３０には、必要に応じて第１アーム１７６の代わりに取っ手１８８が締結具５８を用いて取り付けられ、持ち運びを容易に行うことができる。このような実施態様は、他の移動式太陽光発電装置１０、１００、１１０、１３０、１４０、１５０、１６０にも同様に適用できる。
【００５７】
以上、本発明の実施例を図面に基づいて詳細に説明したが、これ等はあくまでも一実施形態であり、本発明は当業者の知識に基づいて種々の変更，改良を加えた態様で実施することができる。
【符号の説明】
【００５８】
１０、１００、１１０、１３０、１４０、１５０、１６０、１７０：移動式太陽光発電装置    １４：フェンス（取付対象）    １８：隙間（係合穴）    ３０：本体ケース    ３２、３４、１０２、１０４、１６４、１６６、１７２、１７４：設置用リンク機構    ３６：ソーラーパネル    ３８：蓄電装置    ５０、１０６、１７６：第１アーム    ５２、１７８：第２アーム    ５４：第３アーム（パネル保持部材）    ７０、１０８：回曲形状部    ７２、１４２：ストッパ部材    ７６：反転装置    ７８：引張コイルスプリング（第１ターンオーバスプリング）    １１２：第４アーム（パネル保持部材）    １２０：退避装置    １２４：引張コイルスプリング（第２ターンオーバスプリング）    １３２：受け樋    １３４：貯水タンク    １６２：Ｔ字アーム（アーム）    １８０：押え板（ストッパ部材）    １８２：Ｕ字ボルト（ストッパ部材）    Ｓ１〜Ｓ３：連結軸心    Ｓ４：連結軸心（支持軸心）    Ｓｐ：保持軸心
【図１】
2015109350.tif 000003
【図２】
2015109350.tif 000004
【図３】
2015109350.tif 000005
【図４】
2015109350.tif 000006
【図５】
2015109350.tif 000007
【図６】
2015109350.tif 000008
【図７】
2015109350.tif 000009
【図８】
2015109350.tif 000010
【図９】
2015109350.tif 000011
【図１０】
2015109350.tif 000012
【図１１】
2015109350.tif 000013
【図１２】
2015109350.tif 000014
【図１３】
2015109350.tif 000015
【図１４】
2015109350.tif 000016
【図１５】
2015109350.tif 000017
【図１６】
2015109350.tif 000018
【図１７】
2015109350.tif 000019
【図１８】
2015109350.tif 000020